(57)【要約】【課題】画鋲そのものが掲示物品を見る人の目に触れることがなく、掲示物品を見映えよく壁面などに掲示可能とする。【解決手段】掲示対象となる物品の裏面を壁面に対面させた状態で当該物品を壁面に掲示するための物品掲示具であって、物品の裏面に取り付け可能な薄板状の平板部材１１０と、平板部材１１０の一方の面を当該平板部材の表面とし、当該平板部材１１０の他方の面を当該平板部材の裏面としたときに、平板部材１１０の裏面に垂直に突設され、壁面に突き刺し可能な突き刺しピン１２０と、を備え、平板部材１１０は、直交する２つの辺１１０ａ，１１０ｂを有する多角形状をなし、当該直交する２つの辺１１０ａ，１１０ｂに沿ってネジ止め用の長孔１１１ａ，１１１ｂが形成されている。【選択図】図１
2015203780.tif 000002
【特許請求の範囲】
【請求項１】
掲示対象となる物品の裏面を壁面に対面させた状態で当該物品を壁面に掲示するための物品掲示具であって、
前記物品の裏面に取り付け可能な薄板状の平板部材と、
前記平板部材の一方の面を当該平板部材の表面とし、当該平板部材の他方の面を当該平板部材の裏面としたときに、前記平板部材の裏面に垂直に突設され、前記壁面に突き刺し可能な突き刺しピンと、
を備え、
前記平板部材は、直交する２つの辺を有する多角形状をなし、前記直交する２つの辺に沿ってネジ止め用の長孔が形成されていることを特徴とする物品掲示具。
【請求項２】
請求項１に記載の物品掲示具において、
前記突き刺しピンは、前記平板部材のほぼ重心となる位置に突設されていることを特徴とする物品掲示具。
【請求項３】
請求項１又は２に記載の物品掲示具において、
前記直交する２つの辺のそれぞれの長さは、２０ｍｍ〜４０ｍｍの範囲であり、前記平板部材の厚みは、０．５ｍｍ〜２ｍｍの範囲であり、前記突き刺しピンの突出長さは８ｍｍ〜２０ｍｍの範囲であることを特徴とする物品掲示具。
【請求項４】
請求項１〜３のいずれかに記載の物品掲示具において、
前記平板部材に装着することによってシート状物品のコーナー部の保持が可能となるシート状物品保持部をさらに備え、
前記シート状物品保持部は、
当該シート状物品保持部を前記平板部材に装着した状態としたときに、前記平板部材の表面との間に前記シート状物品のコーナー部を差し込むことができる隙間が形成されるように前記平板部材の表面に対面する表面カバー部と、
当該表面カバー部に一体形成され、当該表面カバー部との間で前記平板部材の前記直交する２つの辺が存在する当該平板部材の縁部を挟持可能な鍔部と、
を有することを特徴とする物品掲示具。
【請求項５】
請求項４に記載の物品掲示具において、
前記シート状物品保持部は、前記平板部材に着脱自在であることを特徴とする物品掲示具。
【請求項６】
請求項４又は５に記載の物品掲示具において、
前記表面カバー部における平板部材との対向面の一部又は全面には、当該表面カバー部と前記平板部材との間に前記シート状物品を差し込んだ状態としたときに、当該シート状物品が抜け落ちることを防止するためのシート状物品抜け落ち防止用凹凸部が形成されていることを特徴とする物品掲示具。
【発明の詳細な説明】
【技術分野】
【０００１】
本発明は、パネルやポスターなどの掲示対象となる物品を壁面に掲示する際に好適な物品掲示具に関する。
【背景技術】
【０００２】
パネルやポスターなどの掲示対象となる物品（掲示対象物品という。）を壁面に取り付ける際に用いる物品掲示具は従来から種々知られている（例えば、特許文献１参照。）。
【０００３】
図９は、特許文献１に開示されている物品掲示具９００を説明するために示す図である。図９（ａ）は特許文献１に開示されている物品掲示具９００の分解斜視図であり、図９（ｂ）は特許文献１に開示されている物品掲示具９００によっての掲示対象となる物品を壁面（図示せず。）掲示した状態を示す平面図である。
【０００４】
特許文献１に開示されている物品掲示具９００は、図９（ａ）に示すように、コーナー止め具９１０と、当該コーナー止め具９１０に重なり合う透明枠９２０とを有している。そして、コーナー止め具９１０及び透明枠９２０には画鋲９３０を貫通させることができる画鋲通し孔９１１，９２１がそれぞれ同一軸上に形成されている。なお、画鋲通し孔９１１，９２１は、コーナー止め具９１０及び透明枠９２０から外側に突出して形成されている。また、コーナー止め具９１０には、掲示対象物品９４０（図９（ｂ）参照。）を挟むことができる表押え板９１２及び裏押え板９１３が設けられている。
【０００５】
このように構成されている物品掲示具９００によれば、図９（ｂ）に示すように、当該物品掲示具９００を複数個（例えば４個）用いて、掲示対象物品９４０を壁面に掲示することができる。すなわち、掲示対象物品９４０の各コーナー部を各々の物品掲示具９００におけるコーナー止め具９１０の表押え板９１２と裏押え板９１３とで挟んだ状態として、その上から透明枠９２０で覆って、透明枠９２０及びコーナー止め具９１０に形成されている画鋲通し孔９１１，９２１に画鋲９３０を通して、当該画鋲９３０を壁面に突き刺す。これにより、掲示対象物品９４０を壁面に掲示することができる。
【０００６】
なお、上記したように、画鋲通し孔９１１，９２１は、コーナー止め具９１０及び透明枠９２０から外側に突出して形成されているため、画鋲９３０は掲示対象物品９４０を貫通することがなく、掲示対象物品９４０に画鋲９３０の突き刺し孔が残ることはない。
【先行技術文献】
【特許文献】
【０００７】
【特許文献１】特開２０００−２３８４９６号公報
【発明の概要】
【発明が解決しようとする課題】
【０００８】
しかしながら、特許文献１に開示されている物品掲示具９００は、コーナー止め具９１０と、コーナー止め具９１０に重なり合う透明枠９２０と、画鋲９３０とがそれぞれ別々に分離された部品となっており、まずは、コーナー止め具９１０と透明枠９２０との間に掲示対象物品を挟んだ状態としたのちに、別部品である画鋲９３０を壁面に突き刺すといった作業を行う必要があり、掲示対象物品９４０を掲示するための作業（掲示作業という。）が面倒である。特に、画鋲９３０が別部品となっているため、画鋲９３０を落としたり、紛失したりする場合もあり、掲示作業に手間取る場合もある。
【０００９】
また、特許文献１に開示されている物品掲示具９００は、掲示対象物品を図９（ｂ）に示すように壁面に掲示した状態としたときに、画鋲９３０そのものが露出した状態となるため、画鋲９３０そのものが掲示対象物品９４０を見る人の目に触れることとなるため、見た目に好ましいものとはいえない。また、特許文献１に開示されている物品掲示具９００は、掲示対象物品９４０がポスターや写真などのように薄手のものではなく、例えば、１０数ｍｍ程度の厚みのあるものを掲示する場合にも使用できるか否かは疑問である。
【００１０】
最近では、掲示対象物品として、アルミフレームの枠で囲ったパネル（アルミフレームパネルと呼ぶことにする。）が広く使用されている。このアルミフレームパネルは、軽量で美観的にも優れているため、展示場、博物館、オフィス及び公共施設などで、各種の内容説明文やイラストなどを掲示する場合に好都合である。このため、このようなアルミフレームパネルは、今後、さらに広く用いられるものと考えられる。
【００１１】
このようなアルミフレームパネルを掲示対象物品とする場合、従来は、当該アルミフレームパネルを紐で吊り下げることが一般的であるが、紐で吊り下げることなくアルミフレームパネルを壁面に掲示したいという要求もある。この場合は、例えば、上記した特許文献１に開示されている物品掲示具９００におけるコーナー止め具９１０の表押え板９１２と裏押え板９１３との間隔を、１０数ｍｍ程度の厚みのある掲示対象物品にも対応可能となるように設定すれば、このようなアルミフレームパネルなどを紐で吊り下げることなく壁面に取り付け可能となると考えられる。
【００１２】
しかし、この場合においても、上記したように、結局は、画鋲９３０そのものが露出した状態となり、画鋲９３０そのものがアルミフレームパネルを見る人の目に触れることとなり、アルミフレームパネルの掲示の仕方として決して見映えのするものではない。
【００１３】
本発明は上記事情に鑑みてなされたものであり、画鋲そのものが掲示対象物品を見る人の目に触れることがなく、掲示対象品を見映えよく壁面などに掲示することができる物品掲示具を提供することを目的とする。
【課題を解決するための手段】
【００１４】
［１］本発明の物品掲示具は、掲示対象となる物品の裏面を壁面に対面させた状態で当該物品を壁面に掲示するための物品掲示具であって、前記物品の裏面に取り付け可能な薄板状の平板部材と、前記平板部材の一方の面を当該平板部材の表面とし、当該平板部材の他方の面を当該平板部材の裏面としたときに、前記平板部材の裏面に垂直に突設され、前記壁面に突き刺し可能な突き刺しピンと、を備え、前記平板部材は、直交する２つの辺を有する多角形状をなし、前記直交する２つの辺に沿ってネジ止め用の長孔が形成されていることを特徴とする。
【００１５】
本発明の物品掲示具は、掲示対象となる物品（掲示対象物品）の裏面側に取り付け可能であるため、当該物品掲示具を用いて掲示対象物品を壁面に掲示した状態とした場合、物品掲示具は掲示対象物品の裏側に存在することとなる。このため、本発明の物品掲示具が掲示対象物品を見る人の目に触れることがなく、掲示対象物品を見映えよく壁面などに掲示することができる。
【００１６】
また、平板部材は、直交する２つの辺を有する多角形状をなしているため、掲示対象物品が例えばアルミフレームパネルのような矩形状の掲示対象物品である場合においては、本発明の物品掲示具の直交する２つの辺を、掲示対象物品における裏面のコーナー部における直交する２つの辺に沿わせた状態で、本発明の物品掲示具を掲示対象物品に取り付けることができる。また、直交する２つの辺に沿ってネジ止め用の長孔が形成されていることにより、本発明の物品掲示具をアルミフレームパネルや木製の枠付きパネルなどに取り付ける場合には、当該長孔を用いて本発明の物品掲示具をネジ止めすることができる（詳細については後述する実施形態参照。）
なお、この明細書における「壁面」というのは、例えば、建物の壁面、立て看板、仕切り板（例えば衝立など）及び掲示板など、一般的な画鋲によって掲示対象物品の掲示が可能なものをすべて含むものである。
【００１７】
［２］本発明の物品掲示具においては、前記突き刺しピンは、前記平板部材のほぼ重心となる位置に突設されていることが好ましい。
【００１８】
突き刺しピンが平板部材のほぼ重心となる位置に突設されていることにより、突き刺しピンを壁面に突き刺した状態としたときに、平板部材が安定して壁面に固定され、それによって、本発明の物品掲示具を用いて掲示物品を壁面に掲示したときに、掲示物品が安定した状態で壁面に掲示される。
【００１９】
［３］本発明の物品掲示具においては、前記平板部材における前記直線の辺の長さは、２０ｍｍ〜４０ｍｍの範囲であり、前記平板部材の厚みは、０．５ｍｍ〜２ｍｍの範囲であり、前記突き刺しピンの突出長さは８ｍｍ〜２０ｍｍの範囲であることが好ましい。
【００２０】
平板部材の辺の長さ、平板部材の厚み及び突き刺しピンの突出長さをそれぞれこのような範囲に設定することにより、種々のサイズの掲示対象物品に使用可能となる。
【００２１】
［４］本発明の物品掲示具においては、前記平板部材に装着することによってシート状物品のコーナー部の保持が可能となるシート状物品保持部をさらに有し、前記シート状物品保持部は、当該シート状物品保持部を前記平板部材に装着した状態としたときに、前記平板部材の裏面とは反対側の表面との間に前記シート状物品のコーナー部を差し込むことができる表面カバー部と、当該表面カバー部に一体形成され、当該表面カバー部との間で前記平板部材の前記直交する２つの辺が存在する当該平板部材の縁部を挟持可能な鍔部と、を有することが好ましい。
【００２２】
このようなシート状物品保持部を有することにより、例えば、写真やポスターなどのシート状物品をアルミフレームパネルなどに入れずにそのままの状態で壁面に掲示することができる。
【００２３】
［５］本発明の物品掲示具においては、前記シート状物品保持部は、前記平板部材に着脱自在であることが好ましい。
【００２４】
このように、シート状物品保持部を平板部材に着脱自在とすることにより、掲示対象物品の種類の応じた使い方ができる。例えば、掲示対象物品がアルミフレームパネルなどの場合においては、シート状物品保持部を平板部材に装着しない状態で、平板部材をアルミフレームパネルに取り付けて、当該アルミフレームパネルを壁面に掲示することができる。また、掲示対象物品がポスターや写真などのシート状物品の場合においては、シート状物品保持部を平板部材に装着して、シート状物品保持部と平板部材の表面との間にポスターや写真などのシート状物品を差し込んだ状態で、ポスターや写真などのシート状物品を壁面に掲示する。このように、掲示対象物品の種類の応じた使い方ができる。
【００２５】
［６］本発明の物品掲示具においては、前記表面カバー部における平板部材との対向面の一部又は全面には、当該表面カバー部と前記平板部材との間に前記シート状物品を差し込んだ状態としたときに、当該シート状物品が抜け落ちることを防止するためのシート状物品抜け落ち防止用凹凸部が形成されていることが好ましい。
【００２６】
このようなシート状部材抜け落ち防止用凹凸部を形成することによって、表面カバー部と平板部材との間に写真やポスターなどのシート物品を差し込んだ状態において、人為的にシート状部材を取り外す動作を行わない限り、シート状部材が容易には、表面カバー部と平板部材との間から抜け落ちてしまうことを防止できる。
【図面の簡単な説明】
【００２７】
【図１】実施形態１に係る物品掲示具１０を説明するために示す斜視図である。
【図２】実施形態１に係る物品掲示具１０の第１使用例を説明するために示す図である。
【図３】実施形態１に係る物品掲示具１０の第２使用例を説明するために示す図である。
【図４】実施形態１に係る物品掲示具１０の第３使用例を説明するために示す図である。
【図５】実施形態２に係る物品掲示具２０を説明するために示す図である。
【図６】シート状物品保持部の構造を説明するために示す図である。
【図７】実施形態２に係る物品掲示具２０を用いてシート状物品（例えば、ポスターする。）を壁面に掲示した状態を示す図である。
【図８】物品掲示具１０の変形例を示す図である。
【図９】特許文献１に開示されている物品掲示具９００を説明するために示す図である。
【発明を実施するための形態】
【００２８】
以下、本発明の実施形態について説明する。
【００２９】
［実施形態１］
図１は、実施形態１に係る物品掲示具１０を説明するために示す斜視図である。実施形態１に係る物品掲示具１０は、図１に示すように、大まかには直角三角形状をなす薄板状の平板部材１１０と、当該平板部材１１０のほぼ重心位置に当該平板部材１１０に垂直に突設されている突き刺しピン１２０とを有している。
【００３０】
なお、実施形態１に係る物品掲示具１０において、突き刺しピン１２０が存在する側の面を当該物品掲示具１０の「裏面」とし、突き刺しピン１２０が存在しない側の面を当該物品掲示具１０の「表面」として説明する。これは平板部材１１０を説明する場合も同様であり、突き刺しピン１２０が存在する側の面を当該平板部材１１０の「裏面」とし、突き刺しピン１２０が存在しない側の面を当該平板部材１１０の「表面」として説明する。
【００３１】
また、平板部材１１０の直交する２つの辺１１０ａ，１１０ｂにそれぞれ沿って長孔１１１ａ，１１１ｂが形成されている。なお、実施形態１に係る物品掲示具１０は、直交する２つの辺１１０ａ，１１０ｂと斜辺１１０ｃとを有する多角形（大まかには直角三角形状）とした場合を例示しているが、各角部は面取りされていて、丸みを帯びている。また、平板部材１１０は、ステンレススチール又はアルミニウムなどの金属製であってもよく、所定の強度が得られれば合成樹脂製であってもよい。
【００３２】
また、平板部材１１０の寸法は、直交する２つの辺１１０ａ，１１０ｂのそれぞれの長さＬ１，Ｌ２が、角部における丸み部分を含めてそれぞれ２０ｍｍ程度であり、厚みｔは１ｍｍ程度としている。また、突き刺しピン１２０の突出長さは１０ｍｍ程度としている。
【００３３】
なお、平板部材１１０の各部の寸法及び突き刺しピン１２０の突出長さは、これらの値に限定されるものではなく、適宜設定可能である。但し、平板部材１１０の直交する２つの辺１１０ａ，１１０ｂの寸法Ｌ１，Ｌ２は、角部における丸み部分を含めてそれぞれ２０ｍｍ〜４０ｍｍの範囲とすることが好ましく、厚みｔは０．５ｍｍ〜２ｍｍの範囲とすることが好ましく、また、突き刺しピン１２０の突出長さは８ｍｍ〜２０ｍｍの範囲とすることが好ましい。平板部材１１０の各部の寸法及び突き刺しピン１２０の突出長さをこのような範囲に設定することにより、種々のサイズの掲示対象物品に使用可能となる。
また、平板部材の直交する２つの辺１１０ａ，１１０ｂの長さＬ１，Ｌ２は等しくしてもよいが、これら２つの辺１１０ａ，１１０ｂの長さＬ１，Ｌ２は多少異なっていてもよい。
【００３４】
図２は、実施形態１に係る物品掲示具１０の第１使用例を説明するために示す図である。実施形態１に係る物品掲示具１０の第１使用例は、アルミフレームパネルの裏面側にネジ止め溝が形成されているタイプのアルミフレームパネル２００Ａ（ネジ溝付きアルミフレームパネル２００Ａともいう。）に、当該物品掲示具１０を取り付ける場合である。
【００３５】
図２（ａ）はネジ溝付きアルミフレームパネル２００Ａの裏面の一部を拡大して示す図であり、図２（ｂ）は図２（ａ）に示すネジ溝付きアルミフレームパネル２００Ａに実施形態１に係る物品掲示具１０を取り付けた状態を示す図であり、図２（ｃ）は図２（ｂ）の側面図であり、図２（ｄ）はネジ溝付きアルミフレームパネル２００Ａを壁面４００に掲示した状態を示す正面図である。なお、図２（ａ）、図２（ｂ）及び図２（ｃ）はネジ溝付きアルミフレームパネル２００Ａの１つのコーナー部を拡大して示している。
【００３６】
ここで、ネジ止め溝付きアルミフレームパネル２００Ａは、当該ネジ溝付きアルミフレームパネル２００Ａの左右上下の各辺を構成する４つのフレーム片２２１，２２２，２２３，２２４のうちの直交する２つのフレーム片同士、すなわち、フレーム片２２１とフレーム片２２２及びフレーム片２２３とフレーム片２２４とが、それぞれＬ字状接続具２３０によって接続されているアルミフレームパネルであるとする。
【００３７】
このようなネジ溝付きアルミフレームパネル２００Ａは、図２（ａ）に示すように、Ｌ字状接続具２３０をフレーム片２２１及びフレーム片２２２のそれぞれ接続端部付近におけるネジ止め溝２１１，２１２に差し込んだ状態として、ネジ２４０，２４０をＬ字状接続具２３０のネジ孔（図示せず。）にそれぞれ差し込んでネジ止めすることにより、直交する２つのフレーム片２２１，２２２を接続する。これを他の直交する２つのフレーム片同士（フレーム片２２３及びフレーム片２２４）についても同様に行う。これにより、図２（ｄ）に示すようなネジ溝付きアルミフレームパネル２００Ａとすることができる。
【００３８】
ネジ溝付きアルミフレームパネル２００Ａは、汎用品として一般に市販されているアルミフレームパネルの１つである。このようなネジ溝付きアルミフレームパネル２００Ａに実施形態１に係る物品掲示具１０を取り付ける際には、ネジ２４０を一旦外して、平板部材１１０の長孔１１１ａ，１１１ｂをそれぞれネジ止め溝２１１，２１２に合わせた状態として、一旦外したネジ２４０を長孔１１１ａ，１１１ｂを通して再びＬ字状接続具２３０のネジ孔に差し込んでネジ止めする。
【００３９】
このようにすることにより、実施形態１に係る物品掲示具１０を図２(ｂ)及び図２（ｃ）に示すように、ネジ溝付きアルミフレームパネル２００Ａのコーナー部に取り付けることができる。このような物品掲示具１０の取り付け作業は、当該ネジ溝付きアルミフレームパネル２００Ａの他のコーナー部においても同様に行う。これによって、ネジ溝付きアルミフレームパネルの各コーナー部それぞれには物品掲示具１０が取り付けられる。
【００４０】
実施形態１に係る物品掲示具１０が取り付けられているネジ溝付きアルミフレームパネル２００Ａを壁面に掲示する際には、ネジ溝付きアルミフレームパネル２００Ａの各コーナー部に取り付けられている各物品掲示具１０における突き刺しピン１２０を壁面４００に突き刺せばよい。具体的には、ネジ溝付きアルミフレームパネル２００Ａの裏面を壁面４００に対面させた状態として、壁面４００上で位置決めした後に、ネジ溝付きアルミフレームパネル２００Ａの各コーナー部を壁面４００に押圧すればよい。
【００４１】
これにより、各コーナー部に取り付けられている各物品掲示具１０における突き刺しピン１２０が壁面４００に突き刺さり、ネジ溝付きアルミフレームパネル２００Ａを壁面４００に掲示することができる（図２（ｄ）参照。）。なお、壁面４００としては、一般的な画鋲を突き刺すことができるものであれば、特にその材質は問わない。一般的な画鋲を突き刺すことができる壁面としては、例えば、石膏ボードの表面にクロスが貼られている壁面や木製の壁面などを例示できる。
【００４２】
このようにして、ネジ溝付きアルミフレームパネル２００Ａが壁面４００に掲示されると、図２（ｄ）に示すように、各コーナー部に取り付けられている各物品掲示具１０は、当該アルミフレームパネル２００Ａの裏面に隠れた状態となっている。このため、各物品掲示具１０は、当該アルミフレームパネル２００Ａを見る人の目に触れることがなく、アルミフレームパネル２００Ａだけが壁面４００に掲示されている状態となることから、見映えがよく美観的に優れたものとなる。
【００４３】
なお、ネジ溝付きアルミフレームパネル２００Ａが比較的小型で軽量である場合には、必ずしも４箇所の各コーナー部すべてに物品掲示具１０を取り付ける必要はなく、上側の２箇所のコーナー部のみに物品掲示具１０を取り付けるようにしてもよく、また、対角となる一対のコーナー部のみに物品掲示具１０に取り付けるようにしてもよい。
【００４４】
図３は、実施形態１に係る物品掲示具１０の第２使用例を説明するために示す図である。図３はアルミフレームの裏面側にネジ止め溝が形成されていないタイプのアルミフレームパネル２００Ｂ（ネジ溝無しアルミフレームパネル２００Ｂともいう。）に、実施形態１に係る物品掲示具１０を取り付ける場合を示している。図３（ａ）はネジ溝無しアルミフレームパネル２００Ｂの裏面を示す図であり、図３（ｂ）はネジ溝無しアルミフレームパネル２００Ｂに実施形態１に係る物品掲示具１０を取り付けた状態を示す図であり、図３（ｃ）は図３（ｂ）の側面図である。なお、図３（ａ）、図３（ｂ）及び図３（ｂ）はネジ溝無しアルミフレームパネル２００Ｂの１つのコーナー部を拡大して示している。
【００４５】
ここで、ネジ溝無しアルミフレームパネル２００Ｂは、当該ネジ溝無しアルミフレームパネル２００Ｂの左右上下の各辺を構成する４つのフレーム片（図３においては、フレーム２２１，２２２のみが示されている。）のうちの直交する２つのフレーム片同士（例えば、フレーム片２２１とフレーム片２２２）が端面側に設けられている固定ネジ２６０によって接続されているアルミフレームパネルであるとする。
【００４６】
なお、図３においては、フレーム片としては、フレーム２２１，２２２のみが示されているが、ネジ溝付きアルミフレームパネル２００Ａ（図２（ｄ）参照。）と同様に、４つのフレーム片２２１，２２２，２２３，２２４が存在するものとして説明する。
【００４７】
図３に示すようなネジ溝無しアルミフレームパネル２００Ｂも、汎用品として一般に市販されているアルミフレームパネルの１つである。また、当該ネジ溝無しアルミフレームパネル２００Ｂは、ここでは、当該ネジ溝無しアルミフレームパネル２００Ｂの裏面板２７０は、各フレーム片（フレーム片２２１，２２２，２２３，２２４）の領域にまで入り込んでいる。そして、各フレーム片２２１〜２２４と裏面板２７０とは、密接状態ではなく、わずかな隙間が存在している。
【００４８】
このようなネジ溝無しアルミフレームパネル２００Ｂに実施形態１に係る物品掲示具１０を取り付ける際には、実施形態１に係る物品掲示具１０における平板部材１１０の直角の角部（但し、実施形態１に係る物品掲示具１０における平板部材１１０は丸みを帯びている。）を裏面板２７０上でネジ溝無しアルミフレームパネル２００Ｂのコーナー部に対応させて、平板部材１１０の直交する２つの辺１１０ａ、１１０ｂをネジ溝無しアルミフレームパネル２００Ｂの直交する２つのフレーム片（例えば、フレーム片２２１，２２２）と裏面板２７０との間の隙間に差し込むようにスライドさせる。これにより、物品掲示具１０は、図３（ｂ）及び図３（ｃ）に示すように、ネジ溝無しアルミフレームパネル２００Ｂに取り付けられる。
【００４９】
図３（ｂ）及び図３（ｃ）に示すように物品掲示具１０が取り付けられているネジ溝無しアルミフレームパネル２００Ｂを壁面４００に掲示する際には、ネジ溝付きアルミフレームパネル２００Ａと同様に、ネジ溝無しアルミフレームパネル２００Ｂの各コーナー部に取り付けられている各物品掲示具１０における突き刺しピン１２０を壁面４００に突き刺せばよく、これにより、ネジ溝付きアルミフレームパネル２００Ａと同様に、当該ネジ溝無しアルミフレームパネル２００Ｂを壁面４００に掲示することができる（図２（ｄ）参照。）。
【００５０】
ネジ溝無しアルミフレームパネル２００Ｂの場合も、各コーナー部に取り付けられている各物品掲示具１０は、当該ネジ溝無しアルミフレームパネル２００Ｂの裏面に隠れた状態となっている。このため、各物品掲示具１０は、当該ネジ溝無しアルミフレームパネル２００Ｂを見る人の目に触れることがなく、ネジ溝無しアルミフレームパネル２００Ｂだけが壁面４００に掲示されている状態となることから、見映えがよく美観的に優れたものとなる。
【００５１】
なお、この場合も、ネジ溝無しアルミフレームパネル２００Ｂが比較的小型で軽量である場合には、必ずしも４箇所の各コーナー部すべてに物品掲示具１０を取り付ける必要はなく、上側の２箇所のコーナー部のみに物品掲示具１０を取り付けるようにしてもよく、また、対角となる一対のコーナー部のみに物品掲示具１０に取り付けるようにしてもよい。
【００５２】
図４は、実施形態１に係る物品掲示具１０の第３使用例を説明するために示す図である。図４は絵画などを描くときに用いるキャンバスを木製などの枠で保持したタイプのもの（枠付きパネルと呼ぶことにする。）に、実施形態１に係る物品掲示具１０を取り付ける場合である。図４（ａ）は枠付きパネル３００の裏面を示す図であり、図４（ｂ）は枠付きパネル３００に実施形態１に係る物品掲示具１０を取り付けた状態を示す図であり、図４（ｃ）は図４（ｂ）の側面図である。なお、図４に示す枠付きパネル３００は、汎用品として一般に市販されているものである。
【００５３】
このような枠付きパネル３００に実施形態１に係る物品掲示具１０を取り付ける際には、枠付きパネル３００を構成する４つのパネル片のうち直交する２つのパネル片同士（例えば図３に示すパネル片３１０及びパネル片３２０）の接続部となるコーナー部に、実施形態１に係る物品掲示具１０を取り付ける。具体的には、実施形態１に係る物品掲示具１０における平板部材１１０の長孔１１１ａ，１１１ｂにそれぞれ木ネジを通して、平板部材１１０をパネル片２１０，２２０にネジ止めすることにより、当該物品掲示具１０を取り付ける（図４（Ｂ）及び図４（ｃ）参照。）。このような物品掲示具１０の取り付け作業は、当該枠付きパネル３００の他のコーナー部においても同様に行う。
【００５４】
実施形態１に係る物品掲示具１０が固定された枠付きパネル３００を壁面に取り付ける際には、ネジ溝付きアルミフレームパネル２００Ａ又はネジ溝無しアルミフレームパネル２００Ｂと同様の手順で壁面４００に掲示することができる（図２（ｄ）参照。）。
【００５５】
このような枠付きパネル３００の場合も、枠付きパネル３００の各コーナー部に取り付けられている各物品掲示具１０は、当該枠付きパネル３００の裏面に隠れた状態となっているために、当該枠付きパネル３００を見る人の目に触れることがなく、枠付きパネル３００だけが壁面に取り付けられている状態となるため、見映えがよく美観的に優れたものとなる。
【００５６】
なお、枠付きパネル３００が比較的小型で軽量である場合には、必ずしも４箇所の各コーナー部すべてに物品掲示具１０を固定する必要はなく、上側の２箇所のコーナー部のみに物品掲示具１０を取り付けるようにしてもよく、また、対角となる一対のコーナー部のみに物品掲示具１０に取り付けるようにしてもよい。
【００５７】
以上説明したように、実施形態１に係る物品掲示具１０は、ネジ溝付きアルミフレームパネル２００Ａ、ネジ溝無しアルミフレームパネル２００Ｂ及び枠付きパネルなどの様々なパネルを壁面に見映え良く掲示することができる。このように、実施形態１に係る物品掲示具１０は、様々な種類のパネルを壁面に掲示したときに、壁面が例えば上記した石膏ボードの表面にクロスが貼られている壁面などであっても、パネルの重量が１ｋｇ程度であれば、当該重量に十分に耐えられることが実験により確かめられている。
【００５８】
従って、掲示対象物品が一般的なアルミフレームパネル２００Ａ，２００Ｂや枠付きパネル３００であれば、これらのパネルの重量には十分に耐え得るものとなる。このことは、上記した各種のパネルに限られるものではなく、実施形態１に係る物品掲示具１０を用いて壁面に掲示可能で、かつ、重量が１ｋｇ程度の掲示対象物品であれば、上記した各種のパネルと同様に、当該掲示対象物品の重量に耐え得るものとなる。
【００５９】
［実施形態２］
図５は、実施形態２に係る物品掲示具２０を説明するために示す図である。図５（ａ）は、実施形態２に係る物品掲示具２０を裏面（平板部材１１０の裏面）側から見た斜視図であり、図５（ｂ）は実施形態２に係る物品掲示具２０を表面（平板部材１１０の表面）側から見た斜視図である。
【００６０】
実施形態２に係る物品掲示具２０は、実施形態１に係る物品掲示具１０を用いて写真やポスターなどのシート状物品を壁面に掲示可能としたものである。このため、実施形態１に係る物品掲示具１０に加えて、平板部材１１０の表面との間にシート状物品を差し込むことによって当該シート状物品を保持可能な合成樹脂製のシート状物品保持部５００をさらに有する。
【００６１】
シート状物品保持部５００は、平板部材１１０の表面との間にート状物品を差し込むことができる表面カバー部５１０と、当該表面カバー部５１０に一体形成され、当該表面カバー部５１０との間で平板部材１１０の縁部（直交する２つの辺１１０ａ，１１０ｂが存在する縁部）を挟持可能な鍔部５２０とを有している。
【００６２】
具体的には、表面カバー部５１０は、平板部材１１０の表面の一部を露出して当該表面の殆どの部分と対面するような、ほぼ三角形状をなしている。
また、鍔部５２０は、平板部材１１０の裏面側に存在する。この鍔部５２０は、平板部材１１０の縁部（直交する２つの辺１１０ａ，１１０ｂが存在する縁部）に沿うように平面形状がＬ字状をなしており、表面カバー部５１０との間で平板部材１１０を挟持する。
このように構成されているシート状物品保持部５００は、平板部材１１０に対して着脱自在となっている。
【００６３】
表面カバー部５１０は、上記したように、平板部材１１０の表面の一部を露出して当該表面の殆どの部分に対面するものであるが、ここで、「平板部材１１０の表面の一部」というのは、平板部材１１０の斜辺１１０ｃ側の縁部に沿った表面である。すなわち、表面カバー部５１０は、平板部材１１０の斜辺１１０ｃ側の縁部に沿った表面に露出部１１５（図５において灰色で塗りつぶされている領域）を形成するように平板部材１１０の表面に対面する。なお、当該露出部１１５は、シート状物品を表面カバー部５１０と平板部材１１０の表面との間に差し込む際のガイド部としての役目を有する。
【００６４】
図６は、シート状物品保持部５００の構造を説明するために示す断面図である。図６は、図５におけるｘ−ｘ矢視断面であるが、ｙ−ｙ矢視断面図も同様となる。
シート状物品保持部５００は、表面カバー部５１０と鍔部５２０との間隔ｗが、平板部材１１０の厚みよりもわずかに大きい程度となるように設定されている。
【００６５】
このため、平板部材１１０の直交する２つの辺１１０ａ，１１０ｂを表面カバー部５１０と鍔部５２０との間に差し込んで、平板部材１１０を表面カバー部５１０と鍔部５２０とで挟持した状態としたときには、表面カバー部５１０と平板部材１１０との間には、隙間が形成される。この隙間は、写真やポスターなどのシート状物品が１枚分差し込み可能となる程度のわずかな隙間である。なお、当該隙間はわずかな隙間であるため、図６においては示されていない。
【００６６】
このように、表面カバー部５１０と平板部材１１０との間にはわずかな隙間が存在することにより、表面カバー部５１０と平板部材１１０との間に写真やポスターなどのシート状物品を差し込むことが可能となっている。そして、表面カバー部５１０と平板部材１１０との間にシート状物品を差し込んだ状態においては、当該シート状物品の厚みにより、表面カバー部５１０とシート状物品と平板部材１１０とが密接状態となる。すなわち、表面カバー部５１０と平板部材１１０との間に形成される隙間に、シート状物品を差し込むと、当該隙間を押し広げられながらシート状物品が差し込まれて行くため、表面カバー部５１０とシート状物品と平板部材１１０とが密接状態となる。
【００６７】
このため、人為的にシート状部材を取り外す動作を行わない限り、シート状物品が表面カバー部５１０と平板部材１１０との間から抜け落ちてしまったり、シート状物品保持部５００が平板部材１１０から離脱してしまったりするといったことがなくなる。
【００６８】
なお、表面カバー部５１０における平板部材１１０との対向面の一部又は全面には、図示は省略するが、シート状部材抜け落ち防止用凹凸部を形成するようにしてもよい。このようなシート状部材抜け落ち防止用凹凸部を形成することによって、表面カバー部５１０と平板部材１１０との間で写真やポスターなどのシート物品を差し込んだ状態としたときに、シート状部材はより抜け落ちにくくなる。
【００６９】
シート状部材抜け落ち防止用凹凸部としては、例えばザラツキを有する粗面であってもよく、また、離散的に設けた小さな突起でもよく、シート状部材が抜け落ちる方向にほぼ直交するように形成された１本以上の筋状の小さな凸部などであってもよい。
【００７０】
図７は、実施形態２に係る物品掲示具２０を用いて写真やポスターなどのシート状物品６００を壁面４００に掲示した状態を示す図である。実施形態２に係る物品掲示具２０を用いてシート状物品６００を掲示する際には、まず、実施形態１に係る物品掲示具１０にシート状物品保持部５００を装着する。このように、実施形態１に係る物品掲示具１０にシート状物品保持部５００を装着したものを実施形態２に係る物品掲示具２０とする。
【００７１】
続いて、シート状物品６００の各コーナー部に実施形態２に係る物品掲示具２０を取り付けて、実施形態２に係る物品掲示具２０を壁面４００に取り付ける。具体的には、シート状物品６００の各コーナー部をそれぞれ平板部材１１０と表面カバー部５１０との間に差し込む。このとき、平板部材１１０の表面に形成されている露出部１１５をガイド部として、シート状物品６００の各コーナー部を当該露出部１１５から表面カバー部５１０と平板部材１１０との境界部５４０から表面カバー部５１０と平板部材１１０との間に差し込んで行く。
【００７２】
このようにして、シート状物品６００の各コーナー部に実施形態２に係る物品掲示具２０を取り付けたら、突き刺しピン１２０を壁面４００に突き刺す。これにより、シート状物品６００を図７に示すように壁面４００に掲示することができる。
【００７３】
実施形態２に係る物品掲示具２０を用いて写真やポスターなどのシート状物品６００を壁面４００に掲示することによって、一般的な画鋲そのものがこれらのシート状物品６００掲示物を見る人の目に触れないため、見映えが良く美観的に優れたものとなる。
【００７４】
なお、図７においては、シート状物品６００の４つのコーナー部すべてに実施形態２に係る物品掲示具２０を取り付けることによって、シート状物品６００を壁面４００に掲示する場合を例示したが、シート状物品６００が容易には折れ曲がったりしない材質である場合には、対角となる１対のコーナー部のみに実施形態２に係る物品掲示具２０を取り付けることによって、シート状物品６００を壁面４００に掲示するようにしてもよい。
【００７５】
なお、本発明は上述の実施形態に限られるものではなく、本発明の要旨を逸脱しない範囲で種々変形実施可能となるものである。たとえば、下記に示すような変形実施も可能である。
【００７６】
（１）上記各実施形態においては、物品掲示具１０における平板部材１１０は、直交する２つの辺１１０ａ，１１０ｂと斜辺１１０ｃとを有する多角形（大まかには直角三角形状）とした場合を例示したが、このような形状に限られるものではなく、他の形状であってもよい。
【００７７】
図８は、物品掲示具１０の変形例を示す図である。図８（ａ）は平板部材１１０を矩形状（例えば正方形とする。）とした場合の物品掲示具（物品掲示具１１とする。）を示す斜視図であり、図８（ｂ）は当該物品掲示具１１をアルミフレームパネル（ネジ溝付きアルミフレームパネル２００Ａとする。）に取り付けた場合を示す図である。平板部材１１０が図８（ａ）に示すように正方形となっている物品掲示具１１であっても、当該物品掲示具１１は、図８（ｂ）に示すようにネジ溝付きアルミフレームパネル２００Ａの裏面に取り付け可能であり、このように、物品掲示具１１が取り付けられているネジ溝付きアルミフレームパネル２００Ａにおいても、図２（ｄ）に示すように壁面４００に掲示することができる。
【００７８】
なお、図８においては、掲示対象物品としては、ネジ溝付きアルミフレームパネル２００Ａとした場合が例示されているが、例えば、ネジ溝無しアルミフレームパネル２００Ｂ（図３参照。）や枠付きパネル３００（図４参照。）であってもよい。
【００７９】
また、図８に示すような物品掲示具１１であっても、シート状物品６００の掲示が可能なシート状物品保持部５００を着脱自在に装着可能とすることができる。
【００８０】
（２）上記各実施形態においては、掲示対象となる物品（掲示対象物品）はアルミフレームパネル（ネジ溝付きアルミフレームパネル及びネジ溝無しアルミフレームパネル）、枠付きパネル、シート状物品（ポスター、写真など）のように平板状の物品として説明したが、掲示対象となる物品はこれらに限られるものではなく、壁面に対面する面が平面で、かつ、重量もあまり大きくない物品（例えば１ｋｇ程度までの物品）であれば、上記実施形態１に係る物品掲示具１０（図１参照。）又は実施形態１に係る物品掲示具１０の変形例である物品掲示具１１（図８参照。）の使用が可能である。
【００８１】
（３）上記各実施形態においては、突き刺しピンは１つの平板部材１１０に１本としたが、複数本としてもよい。
【符号の説明】
【００８２】
１０，１１，２０・・・物品掲示具、１１０・・・平板部材、１１０ａ、１１０ｂ・・・直交する２つの辺、１１１ａ，１１１ｂ・・・長孔、１１５露出部、１２０・・・突き刺しピン、２００Ａ・・・アルミフレームパネル（ネジ溝付きアルミフレームパネル）、２００Ｂ・・・アルミフレームパネル（ネジ溝無しアルミフレームパネル）、２１１，２１２・・・ネジ止め溝、２２１，２２２，２２３，２２４・・・フレーム片、２３０・・・Ｌ字状接続具、２７０・・・裏面板、３００・・・枠付きパネル、４００・・・壁面、５００・・・シート状物品保持部、５１０・・・表面カバー、５２０・・・鍔部、１１５露出部、６００・・・シート状物品
【図１】
2015203780.tif 000003
【図２】
2015203780.tif 000004
【図３】
2015203780.tif 000005
【図４】
2015203780.tif 000006
【図５】
2015203780.tif 000007
【図６】
2015203780.tif 000008
【図７】
2015203780.tif 000009
【図８】
2015203780.tif 000010
【図９】
2015203780.tif 000011